(57)【特許請求の範囲】
【請求項１】
ハウジングと、前記ハウジングの内部に少なくとも部分的に平行移動が可能なように装着されたランセットキャリアと、前記ランセットキャリアを装填位置の方へ後退させる為に前記ハウジングの前記内部の方へ押すことによって動作可能なカムアクチュエータ部分を含む装填機構とを含む穿刺装置であって、
前記装填機構は、前記穿刺装置のハウジングの外部であって前記ランセットキャリアの前記平行移動の方向の非延長線上に突出するユーザーインターフェース部分、及び前記ハウジングの内部に延在する前記カムアクチュエータ部分を有する作動部材と、前記カムアクチュエータ部分が係合する傾斜面を含むカム従動子特徴とを含み、前記ユーザーインターフェース部分に加わる圧力によって、前記カムアクチュエータ部分を前記傾斜面に係合させ、前記ランセットキャリアを前記平行移動の方向に沿って装填状態に後退させる、
穿刺装置。
【請求項２】
前記傾斜面が、アーチ形に湾曲した面を含む、請求項１に記載の穿刺装置。
【請求項３】
前記ハウジングが、縦寸法と、前記縦寸法にほぼ直交する方向の寸法である横寸法を有し、
前記ハウジングの内部に、横寸法に沿った第１の軸が設けられており、前記第１の軸によって前記カムアクチュエータ部分が旋回可能に軸支されており、
前記ハウジングの内部に、縦寸法に沿った第２の軸が設けられており、前記第２の軸に沿ってスライド可能に前記ランセットキャリアが装着されている、
請求項１に記載の穿刺装置。
【発明の詳細な説明】
【技術分野】
【０００１】
関連出願の相互参照
本出願は、２０１３年１月２３日出願の米国仮特許出願第６１／７５５，６３４号明細書の優先的な利益を主張し、その全体を、あらゆる点で本願明細書に援用する。
【０００２】
本発明は、概して医療機器の分野に関し、より詳細には、血液の採取及び検査の為の穿刺（ｌａｎｃｉｎｇ）装置であって、装置のハウジングに対して内側にアクチュエータを押すことによって作動される装填機構を有する装置に関する。
【背景技術】
【０００３】
穿刺装置は、ヒトや動物の被検体の皮膚に穿刺部位において貫入して、血液型の判定又は血糖検査におけるような医療検査の為に血液や他の体液の試料を得る為に使用される。公知の穿刺装置は、一般に、駆動機構を含むハウジング、駆動機構のバネや他の駆動手段を付勢する為の装填機構、及び作動されると駆動機構を解放する解放機構を含む。本願明細書に援用する（特許文献１）及び（特許文献２）は、例示的な穿刺装置を示す。
【０００４】
ランセットは、一般に、ハウジング内の後退位置から伸長位置まで駆動機構によって推進され、ランセットの鋭い先端部分がハウジングから突出して、被検体の皮膚を所望の穿刺部位で刺す。多くの公知の穿刺装置は、駆動機構を後退位置まで摺動させるか又は引くことによって装填又は付勢される駆動機構を使用し、一般に、装填機構の作動部分を動かす為には、穿刺装置の外側に沿って大きな空間を必要とする。他の公知の穿刺装置は、装置の後ろにあるボタンを押すか又はハンドルを引くことによって装填又は付勢される駆動機構を使用し、これは、ユーザが、ユーザの手で穿刺装置の位置を駆動機構の装填と解放との間で動かす必要がある。更に、穿刺装置の本体から離れるように装填機構を引くことによる駆動機構の装填は、手先の器用さの劣るユーザには課題となることがあり、及び装置を装填し且つ作動準備が整うまで、被験体又はユーザが、装置の本体を保持し且つハンドルを引く為に両手を使用する必要がある。
【先行技術文献】
【特許文献】
【０００５】
【特許文献１】米国特許出願公開第２０１１／０１９６２６１号明細書
【特許文献２】米国特許出願公開第２０１０／０１６０９４２号明細書
【発明の概要】
【発明が解決しようとする課題】
【０００６】
従って、穿刺装置を装填する為の改良型のシステム及び方法に対するニーズが存在する。本発明は、主に、改良型の穿刺装置及びその動作方法及び使用方法に関する。
【課題を解決するための手段】
【０００７】
例示的な実施形態では、本発明は、装填特徴が改良された穿刺装置を提供する。発明の追加的な例示的な実施形態は、穿刺装置を装填する為の改良型の方法を提供する。
【０００８】
一態様では、本発明は、ハウジングと、ハウジングの内部に少なくとも部分的に平行移動式に装着されたランセットキャリアと、ランセットキャリアを装填位置の方へ後退させる為に、ハウジングの内部の方へ向けて押すことによって動作可能なアクチュエータを含む装填機構とを含む穿刺装置に関する。
【０００９】
別の態様では、本発明は、ランセットキャリアを後退させ且つ装填する為の装填機構を含む穿刺装置に関する。装填機構は、装填レバーと、ランセットキャリアを後退させ且つ装填するカム・従動子配置構成とを含む。装填レバーは、指状突起を有する揺り子を含み、及びカム従動子は、傾斜面又はアーチ形面を含む。好ましくは、装填レバーを作動させることによって、指状突起を傾斜面に可動式に係合させ、その後、ランセットキャリアを装填状態に後退させる。
【００１０】
別の態様では、本発明は、穿刺装置用の装填機構に関する。装填機構は、穿刺装置の外部に突出するインターフェース部分を有する作動部材と、その内部に延在する指状突起と、指状突起に取り外し可能に係合するようにランセットキャリアに装着された傾斜面を含むカム特徴とを含む。好ましくは、インターフェース部分に加わる圧力によって、指状突起を穿刺装置に動かし、且つ、ランセットキャリアの傾斜面に更に係合し、その後、ランセットキャリアを装填状態に後退させる。一態様では、作動部材は、第１の軸の周りで旋回可能であり、及びランセットキャリアは、第１の軸にほぼ直角な第２の軸に沿って平行移動するように装着される。別の態様では、作動部材は、第１の軸に沿って平行移動するように装着され、及びランセットキャリアは、第１の軸にほぼ直角な第２の軸に沿って平行移動するように装着される。カム特徴の傾斜面は、実質的に非線形又は実質的に線形とし得る。
【００１１】
更に別の態様では、本発明は、穿刺ストロークに沿って可動であるランセットキャリアを有する穿刺装置用の装填機構に関する。装填機構は、旋回可能に装着された作動部材と、カム機構とを含む。旋回可能に装着された作動部材は、穿刺ストロークに沿ったランセットキャリアの運動にほぼ直角な第１の軸の周りで旋回可能である。ランセットキャリアに装着されたカムは、曲面又は傾いた面を含み、旋回可能に装着された作動部材の指状突起に係合する。好ましくは、作動部材が作動することによって、カム従動子の傾斜面と指状突起を係合させ、更に、ランセットキャリアを装填状態へ後退させる。
【００１２】
更に別の態様では、本発明は、穿刺装置の装填方法に関する。方法は、穿刺装置のハウジングに対して装填レバーを旋回可能に装着し、穿刺装置の一部分にランセットキャリアを平行移動式に装着し、ランセットキャリアの一部分に傾斜面又は曲面の従動子面を提供し、装填レバーを穿刺装置のハウジングに対して内側に押して、装填レバーを従動子面と係合させ、それにより、ランセットキャリアを後退させて穿刺装置を装填することを含む。
【００１３】
本発明のこれらの及び他の態様、特徴及び利点は、本明細書の図面及び詳細な説明を参照して理解され、及び添付の特許請求の範囲において特に指摘される様々な要素及び組み合わせによって実現される。上記の概要、及び以下の図面の簡単な説明及び本発明の詳細な説明は、何れも、本発明の好ましい実施形態の例示及び説明であり、及び特許請求の範囲に定義されるように、本発明を限定するものではないことを理解されたい。
【図面の簡単な説明】
【００１４】
【図１】本発明の例示的な実施形態による穿刺装置の前面の斜視図である。
【図２】図１の穿刺装置の後面の斜視図である。
【図３】内部構成要素を示す為に外部ハウジングの複数の部分が取り除かれた、図１の穿刺装置の後面の斜視図である。
【図４】駆動機構及び装填機構を示す、図１の穿刺装置の組み立て図である。
【図５】図４の駆動機構の側面の斜視図である。
【図６】作動ボタンが取り除かれた、図４の駆動機構の前面の斜視図である。
【図７】図１の穿刺装置の組み立て図である。
【図８Ａ】乃至
【図８Ｄ】穿刺装置の中立位置、装填位置、準備位置、及び完全な伸長位置の装填機構の一連の動作運動を示す、図１の穿刺装置の断面図である。
【発明を実施するための形態】
【００１５】
本発明は、本開示の一部を成す添付図面に関連して本発明の以下の詳細な説明を参照することにより、容易に理解され得る。本発明は、本明細書で説明及び／又は図示される具体的な装置、方法、条件又はパラメータに限定されないこと、及び本明細書で使用される用語法は、特定の実施形態を例として説明する為のものにすぎず、及び特許請求する発明に限定されるものではないことを理解されたい。本明細書で特定される何れかの及び全ての特許及び他の出版物は、本明細書で十分に記載されたかのように、参照することにより援用される。
【００１６】
また、添付の特許請求の範囲を含む本明細書では、文脈上明白に他の意味を指示する場合を除いて、単数形「ａ」、「ａｎ」、及び「ｔｈｅ」は複数形を含み、及び特定の数値への言及は、少なくともその特定の値を含む。本明細書では、範囲は、「約」又は「ほぼ」１つの特定の値から及び／又は「約」又は「ほぼ」別の特定の値までとして表され得る。そのような範囲が表されるとき、別の実施形態は、１つの特定の値から及び／又は他の特定の値までを含む。同様に、先行詞「約」を使用することによって値が近似値として表されるとき、特定の値が別の実施形態を形成することを理解されたい。
【００１７】
ここで、図面を参照すると、同様の参照符号は、幾つかの図面を通して対応する部分を表し、図１〜８は、本発明の例示的な実施形態による穿刺装置１０を示す。例示的な実施形態では、及び全体的に図１〜３を参照して説明すると、穿刺装置１０は、別個の上部及び下部ハウジングシェル２２ａ、２２ｂ、及び前方又は近位端部２４を有する全体的に細長い外側ハウジング２０を含み、近位端部はランセット開口部を規定し、穿刺プロセスの最中に、その開口部を通って少なくともランセットの鋭い先端部分が、穿刺ストロークの伸長位置で、突出して、被検体の皮膚に貫入する。他の例示的な実施形態では、ハウジングは、他の形状及び形態（例えば、ディスク形状、１つの又は３つ以上のシェルなど）を有する。例示的な形態では、ハウジングは、そこに可動式に収容されるランセットキャリア８０を保持する。一形態では、ハウジングは、軸方向において、その前方端部２４とその後方又は遠位端部２６との間に縦寸法を有し、縦寸法は、横寸法におけるその左右の幅を上回り、横寸法は、頂部から底部までのその厚さとほぼ等価であるか又はそれを上回る。ハウジングは、実質的に剛性で耐久性のある材料、例えばプラスチック又は複合材から構成され得る。
【００１８】
ハウジング２０に形成された開口部から解放ボタン又はトリガー３０が突出し、押されると、駆動機構（図５、６に示す）を解放し、それにより装置を作動させて、穿刺ストロークに沿って、ハウジング２０内の装填又は後退位置から伸長又は穿刺位置までランセットを推進させ（図８Ｄ）、ここで、ランセットの少なくとも鋭い先端部分（図示せず）は、ハウジングの近位端部においてランセット開口部から外側へ突出する。他の実施形態では、トリガー機構は、引くもしくはねじる運動、又は穿刺装置を穿刺部位に対して押すことによるなど別の方法で、駆動装置を解放／作動させるように構成される。
【００１９】
任意選択的に、穿刺装置はエンドキャップ４０を含むことができ、エンドキャップは、ランセットを取り付ける及び取り外す為にランセットキャリアの受け部にアクセスする為に取り除かれ得る。エンドキャップ４０は、任意選択的に、ランセットが突出する貫入深さを調整するように構成されてもよく、エンドキャップの一部分は、エンドキャップの別の部分又はハウジングに対して動くことができ、穿刺部位における被検体の皮膚へのランセットの貫入深さが調整可能であるようにする。例示的な形態では、エンドキャップ４０は、ベース部材４２と、ベース部材に結合されたカバー４４と、それらの間に可動式に装着されたダイアル又は止め部材４６とを含む。一形態では、ベース部材は、その外周面に沿って外側に突出する突起を含み、これら突起は、ハウジングの複数の部分に取り外し可能に係合して、エンドキャップ４０が、そこを通って突出するランセットの貫入深さを調整できるようにする。
【００２０】
図３は、上部ハウジングシェル２２ａが取り除かれて内部を示す状態で穿刺装置１０を示す。図示の通り、内側ドライブコア７０が、１つ以上の相互係合面特徴又は結合要素によってハウジング２０内の定位置に係合されている。例えば、図４に詳細に示すように、相互係合特徴は、ハウジングシェル２２ａ、２２ｂ内にそれぞれ形成された保持開口部２５ａ、２５ｂと、内側ドライブコア７０に形成されたピン７４ａ、７４ｂとを含み得る。そのようなものとして、ピン７４ａは、上部ハウジングシェル２２ａの保持開口部２５ａ（図示せず）内に保持され、及びピン７４ｂは、下部ハウジングシェル２２ｂの開口部２５ｂ内に保持される為、ドライブコア７０をその内部の定位置に保持する。例示的な実施形態では、内側駆動機構の一部分は、内側ドライブコア７０を通る軸方向穴又はチャンネル内で平行移動式に摺動するように装着される。或いは、内側ドライブコアは、その位置を軸方向に調整する為にハウジング内に平行移動式に装着されて、深さ調整をもたらし得る。図示の通り、駆動機構は、ランセットを解放可能に係合する受け部を形成する為にその近位端部にカラー又はスリーブ８２を有するランセットキャリア８０を含み、それにほぼ対向する遠位端部が、バネリテーナ８７と係合する為の係合ノブ８３を含む（図５〜７参照）。代替的な単回使用の使い捨ての実施形態では、ランセット及びキャリアは、単一のユニタリ部分を含む。
【００２１】
図示の実施形態では、駆動バネ９２及び戻しバネ９４は、ランセットキャリア８０の中間部分（カム従動子面特徴８４を規定する）と、係合ノブ８３に結合されるバネリテーナ８７との間で、ランセットキャリア８０に保持される（図８参照）。例えば、駆動バネ９２は、カム特徴８４の遠位端部と、内側ドライブコア７０の内部遠位壁（図示せず）との間に保持でき、及び戻しバネ９４は、外部遠位壁７２（内部遠位壁にほぼ対向する）とバネリテーナ８７との間で係合され得る。他の実施形態では、ランセットを駆動させ且つ戻す為に単一のバネが提供される。図示の実施形態では、下記で説明するように、ランセットキャリア８０のカム特徴８４は、装填ボタン６０の作動に続いてランセットキャリア８０の後退をもたらす装填機構の一部分を形成する。
【００２２】
図４は、内部を示す為に複数の部分が取り除かれた状態での穿刺装置の組み立て図を示す。図示の通り、組立済みの駆動機構及び装填機構は、穿刺ストロークに沿ったランセットキャリア８０の後退及び前進をもたらす。例示的な実施形態では、装填機構は、一般的に、装填ボタン又は揺り子／レバー６０、及びランセットキャリア８０のカム特徴８４を含む。概して、装填レバー６０は、穿刺装置１０の側面に位置決めされ、ここでは、それを作動させることによって、装填レバー６０は旋回又は揺動して装置のハウジングに入る為、実質的に短く且つコンパクトな装填動作を可能にする。一形態では、装填レバー６０は、ハウジング２０の旋回軸又はピン２９に旋回可能に装着する為の旋回軸穴６１を含む（図７参照）。装填ボタンにはチャンネル又は開口部６２が設けられ、ここでは、トーションバネ９６が旋回穴６１と軸方向に整列されて、装填ボタンを外側に片寄らせることができる。更に、装填ボタン６０は、そこから延在する指のようなカムアクチュエータ突起又はボス６４を含み、このボスは、カム従動子特徴８４のアーチ形に湾曲した又は傾いた傾斜面８８と係合するように付形されて、ランセットキャリア８０を後退させ且つ装填する。好ましくは、ユーザがインターフェース部分６６を押して装置を装填するとき、装填ボタン６０がハウジングに対して内側に旋回されると、ボス６４は従動子面８８に可動式に係合するように付形されている。任意選択的に、ユーザーインターフェース接触面に、畝のつけられた又はギザギザのある面特徴又はリブのようなチャネル６７が設けられて、装填ボタン６０のユーザーインターフェース部分６６を押すのを容易にし得る。例示的な実施形態では、装填レバー又は揺り子６０は、ランセットキャリア８０の縦方向前進・後退軸にほぼ垂直な横軸の周りで旋回可能である。例えば、図３に示すように、装填レバー６０の旋回運動（第１又は横軸Ａの周り）は、ランセットキャリア８０の平行移動運動（第２又は縦軸Ｂに沿った）にほぼ直角である。
【００２３】
図５〜６は、駆動機構の斜視図を示す。例示的な形態では、内側ドライブコア７０の複数の部分は、カム特徴８４の傾斜面８８とボス６４を係合させるように付形及び構成されている。例えば、ランセットキャリア８０と一緒に形成された、外側に突出するリブ８５（及びそこから延出する突起８６）は、内側駆動シャシ又はコア７０の側面に沿って形成されたスロット又はガイドチャンネル７８内に受け入れられる。好ましくは、リブ８５及び突起８６は、チャンネル７８内を自由に横断でき、それらの間の何れの接触も、ランセットキャリア８０の運動を抑止しない。そのようなものとして、チャンネル７８を案内することによって、適切な位置でカム特徴８４の傾斜面８８と全体的に整列し、ボス６４との可動式の係合を可能にする。図６に示すように、内側ドライブコア７０の側面に装填チャンネル７６が設けられて、そこを通って延在する状態でボス６４を収容して、傾斜面８８に係合し、且つランセットキャリア８０を装填位置まで後退させる。一般的に、カムアクチュエータ又はボス６４、及びカム従動子特徴８４は協働するように付形されて、装填レバー６０の旋回運動（ボス６４を回転させる）によって、ボス６４を従動子８４に対して係合させ、及びボス６４は、カム従動子面に沿って摺動して、ランセットキャリア８０を平行移動式に後退させる。カム従動子特徴８４は、全体的にランセットキャリア８０と一体的とし得る；及び／又はカム従動子及び／又はランセットキャリア８０の他の部分は、別個の構成要素としてもよく、ここでは、何らかの形態の事前組み立てが必要とされる。
【００２４】
ランセットキャリア８０を後退させる為に装填レバー６０が押されると（レバーを軸Ａの周りで旋回させる）、突起８６が後方に動き、ここで、突起は、最終的に、解放ボタン３０の開口部又は穴３４に係合する。好ましくは、解放ボタン３０の一部分は、内側ドライブコア７０に対して穴３４を片寄らせる為の１つ以上の弾性指部３６を含む為、ランセットキャリア８０は、後退時に装填状態に保持され、及び解放ボタン３０を作動させることによって、穴３４から突起８６を取り除いて、ランセットキャリア８０を解放する。例示的な形態では、弾性指部３６は、下部ハウジングシェル２２ｂと一緒に形成された係合バー２７に係合する。他の実施形態では、別のトリガー解放又は作動機構が含まれ得る。
【００２５】
穿刺装置１０の一連の動作は、一般的に、穿刺ストロークの中立位置（図８Ａ）から装填位置（図８Ｂ）へ、準備位置（図８Ｃ）へ、伸長位置（図８Ｄ）へ動き、及び中立位置（図８Ａ）へ戻るランセットキャリア８０を含む。中立位置（図８Ａ）では、ランセットキャリア８０は、一般的に、均衡又は中立位置に位置決めされており、ここでは、カラー又はスリーブ８２の開放端部は、ハウジング２０の開放端部とほぼ同一平面にある。装填レバー６０を、一般的に、付勢バネ９６によって外側に片寄せて、指状突起６４が、内側ドライブコア７０の装填チャンネル７６を通って最小限に延在するようにする。図８Ｂから最も良く分かるように、装填レバー６０のユーザ作動部分６６は、ハウジング２０に押し込まれ（角度方向運動の矢印で示される）、これにより、指状突起又はボス６４は、装填チャンネル７６を通って及びカム特徴８４まで動かされる。そのようなものとして、傾斜面８８とのボス６４の接触によって、ランセットキャリア８０は後退する（平行移動運動の矢印によって示される）。例示的な形態では、傾斜面８８は、一般的に、例えば、ボス６４との摺動係合をもたらす為に連続的な面をもたらすように付形され、ここでは、傾斜面８８上を横切るボス６４の運動によって、ランセットキャリア８０を後退させる。一形態では、傾斜面８８は実質的に非線形であり、ここでは、装填レバーの旋回運動によって、ランセットキャリア８０に平行移動運動を引き起こす。好ましくは、ランセットキャリア８０が後退することによって、そこから延出する突起８６（図５〜６参照）を、例えば、解放ボタン３０の穴３４と係合させ、ここでは、穿刺装置１０が装填され（例えば、駆動バネ９２を装填する）、及び解放ボタン３０が作動されると穿刺ストロークに沿って動く準備が整う。
【００２６】
図８Ｃに示すように、装填レバー６０が解放されると、付勢バネ９６はボタンをその中立位置に戻す（角度方向運動の矢印によって示される）。装填ボタンがそのように戻される為、そのボス６４は、一般的に、それ自体を、装填チャンネル７６の一部分に戻して位置決めする（図８Ａの中立位置に示すように）。好ましくは、ボス６４の位置は、駆動機構の作動中にカム特徴８４との接触が少しでもある場合、ランセットキャリア８０の挙動を変化させないような位置である。解放ボタン３０が押されると、解除ボタンの穴３４は、突起８６との係合から外され、それにより、駆動バネ９２がランセットキャリア８０を穿刺ストロークに沿って推進させ（平行移動運動の矢印によって示される）、ここでは、ランセットの鋭い先端部分（図示せず）が、ハウジングの外部に突出する（図８Ｄ）。好ましくは、内部にある戻しバネ９４又は他の偏倚部材が、中立位置（図８Ａ）へ戻るランセットキャリアの後退を引き起こす。任意選択的に、エンドキャップ４０を取り外すことによって、使用済みのランセットを取り外して、新しいランセットと交換できるようにする。任意選択的に、使用済みのランセットを取り除く為の排出機構が設けられ得る。
【００２７】
追加的な例示的な実施形態では、装填機構は、例えば、平行移動式装填アクチュエータボタンを備えることができ、ここでは、実質的に線形の傾斜面は、ランセットキャリアを備えてもよく、及び装填ボタンを、ランセットキャリアの運動の縦軸に対してほぼ直角な平行移動軸に沿って内側に押すことによって、ランセットキャリアを装填状態まで後退させ得る。そのようなものとして、装填レバーは、指状突起又はボス（所望通りに付形される）を備えて、ランセットキャリアの傾斜面との係合に適合し、穿刺装置を装填することができる。
【００２８】
本発明の例示的な形態のシステム及び方法により、ユーザ作動部分又はアクチュエータ６６を、横方向内側にハウジングの中心縦軸の方へ向けて押す又は押圧する旋回運動の向きを、傾斜面を有するカム特徴を通して、変えて、軸方向の装填運動を生じることによって、ユーザが駆動機構を装填できるようにする。例示的な形態では、装填機構は、トリガー又は解放ボタンに近接又は隣接した装置ハウジングの横側面に装着されたアクチュエータを圧縮することによって、動作可能である。従って、ユーザは、装置を、その位置をユーザの手で調整する必要なく、装填し且つ作動させ得る。或いは、任意選択的に、上記で同様に説明したように、横方向内側にハウジングの中心縦軸の方へ向かうユーザ作動部分又はアクチュエータを押す又は押圧する平行移動運動の向きを、傾斜面を有するカム特徴を通して変えて、同様の軸方向装填運動を生じることによって、駆動機構は装填され得る。
【００２９】
好ましく且つ例示的な実施形態を参照して本発明を説明したが、当業者には、以下の特許請求の範囲によって定義されるように、様々な修正形態、追加形態及び省略形態が本発明の範囲内であることを理解されたい。
〔付記１〕
ハウジングと、前記ハウジングの内部に少なくとも部分的に平行移動式に装着されたランセットキャリアと、前記ランセットキャリアを装填位置の方へ後退させる為に前記ハウジングの前記内部の方へ押すことによって動作可能なアクチュエータを含む装填機構とを含む穿刺装置。
〔付記２〕
前記アクチュエータが、前記ランセットキャリアのカム従動子面と接触して前記ランセットキャリアを装填位置の方へ後退させるカムアクチュエータを含む、付記１に記載の穿刺装置。
〔付記３〕
前記ランセットキャリアの前記カム従動子面が、アーチ形に湾曲した面を含む、付記２に記載の穿刺装置。
〔付記４〕
前記アクチュエータが、第１の軸の周りで旋回可能な揺り子を含み、及び前記ランセットキャリアが、前記第１の軸にほぼ直角な第２の軸に沿って平行移動するように装着されている、付記１に記載の穿刺装置。
〔付記５〕
前記アクチュエータが、第１の軸に沿って平行移動するように装着され、及び前記ランセットキャリアが、前記第１の軸にほぼ直角な第２の軸に沿って平行移動するように装着されている、付記１に記載の穿刺装置。
〔付記６〕
前記ランセットキャリアを装填位置の方へ後退させるように、前記ランセットキャリアの非線形面で前記アクチュエータが動作する、付記１に記載の穿刺装置。
〔付記７〕
前記ランセットキャリアを装填位置の方へ後退させるように、前記ランセットキャリアの線形面で前記アクチュエータが動作する、付記１に記載の穿刺装置。
〔付記８〕
穿刺装置用の装填機構であって、前記装填機構は、前記穿刺装置のハウジングの外部に突出するユーザーインターフェース部分、及び前記ハウジングの内部に延在するカムアクチュエータ部分を有する作動部材と、前記カムアクチュエータによって動作可能に係合する為に前記ランセットキャリアの傾斜面を含むカム従動子特徴とを含み、前記インターフェース部分に加わる圧力によって、前記カムアクチュエータを前記ランセットキャリアの前記傾斜面と動作可能に係合させ、前記ランセットキャリアを装填状態に後退させる、装填機構。
〔付記９〕
前記作動部材が、第１の軸の周りで旋回可能であり、及び前記ランセットキャリアが、前記第１の軸にほぼ直角に第２の軸に沿って平行移動するように装着されている、付記８に記載の装填機構。
〔付記１０〕
前記作動部材が、第１の軸に沿って平行移動するように装着され、及び前記ランセットキャリアが、前記第１の軸にほぼ直角に第２の軸に沿って平行移動するように装着されている、付記８に記載の装填機構。
〔付記１１〕
前記傾斜面が湾曲している、付記８に記載の装填機構。
〔付記１２〕
前記傾斜面が実質的に線形である、付記８に記載の装填機構。
〔付記１３〕
穿刺ストロークに沿って可動であるランセットキャリアを有する穿刺装置用の装填機構であって、前記装填機構は、旋回可能に装着された作動部材と、従動子とを含み、前記作動部材は、前記穿刺ストロークに沿った前記ランセットキャリアの運動とほぼ直角である第１の軸の周りで旋回可能であり、前記従動子は、前記作動部材によって動作可能に係合する為に傾斜面を有し、前記作動部材を圧縮することによって、前記従動子の前記傾斜面上で動作させ、前記ランセットキャリアを装填状態まで後退させる、装填機構。
〔付記１４〕
前記カム特徴の前記傾斜面が非線形である、付記１３に記載の装填機構。
〔付記１５〕
穿刺装置の装填方法であって、旋回可能に装着された装填レバーを前記穿刺装置のハウジングに対して内側に押して、平行移動式に装着されたランセットキャリアを装填状態に後退させることを含む、方法。
〔付記１６〕
前記旋回可能に装着されたレバーが、ユーザ作動面から内側に延在するボスを含み、及び前記ランセットキャリアが従動子面を含み、それにより、前記装填レバーをハウジングに対して内側に押すことによって、前記ボスを前記従動子面に対して動作可能に係合し、前記ランセットキャリアを後退させる、付記１５に記載の方法。
【図１】
0006393277.tif 000002
【図２】
0006393277.tif 000003
【図３】
0006393277.tif 000004
【図４】
0006393277.tif 000005
【図５】
0006393277.tif 000006
【図６】
0006393277.tif 000007
【図７】
0006393277.tif 000008
【図８Ａ】
0006393277.tif 000009
【図８Ｂ】
0006393277.tif 000010
【図８Ｃ】
0006393277.tif 000011
【図８Ｄ】
0006393277.tif 000012